(57)【特許請求の範囲】
【請求項１】
柄とこの柄の先端側に配設された払拭部とを備える人工乳首用洗浄具であって、
前記払拭部は、
中空の人工乳首の内面にほぼ沿うような外形を備え、少なくとも表面が比較的柔軟な材料で形成されており、
かつ、前記払拭部は、外面の前記柄の延びる方向とほぼ一致する方向に沿う領域に、この領域以外の箇所よりも硬い部分を形成した構成であり、
前記払拭部は、人工乳首の先端の乳頭部に対応する大きさの小さな断面径を有する先端小径部と、この先端小計部より大きな径を有する大径部とを備え、前記柄と一体もしくは取り外し可能に形成した硬質の支持体を有し、
かつこの支持体が、支持体のほぼ全体を覆う形状の柔軟な材料で形成された中空のカバー部材の一端開口に挿入される構成とされており、
このカバー部材の前記一端開口が、柄に向かって徐々に幅広となるように形成されていて、
さらに、前記カバー部材は、２枚のウレタン材料を重ねて、周縁を固定して中空に形成されたものであり、該周縁は、熱融着させることにより固定されていて、該熱融着の際に融けて残った部分が前記硬い部分とされている
ことを特徴とする、人工乳首用洗浄具。
【請求項２】
前記支持体の表面の少なくとも一部の領域には摩擦部を形成したことを特徴とする、請求項１に記載の人工乳首用洗浄具。
【請求項３】
前記支持体の長手方向と直交する方向の断面が楕円形状にされており、この楕円形状の長軸と外形の交差する位置に、前記カバー部材に形成した前記硬い部分が配置されることを特徴とする、請求項１または２のいずれかに記載の人工乳首用洗浄具。
【請求項４】
前記柄の前記払拭部が設けられる端部と反対の端部には、ブラシを配置したことを特徴とする、請求項１ないし３のいずれかに記載の人工乳首用洗浄具。
【請求項５】
前記２枚のウレタンは、その素材の表面の粗さが異なるように形成されていることを特徴とする、請求項１ないし４のいずれかに記載の人工乳首用洗浄具。
【発明の詳細な説明】
【０００１】
【発明の属する技術分野】
この発明は、例えば哺乳瓶等に装着される人工乳首の内側を洗浄する際に好適に使用される洗浄具の改良に関するものである。
【０００２】
【従来の技術】
図１５は、従来の人工乳首用洗浄具を示している。
図において、人工乳首用洗浄具１は、やや長尺の柄２と、この柄２の先端に取り付けたスポンジ等でなる払拭部３とを備えている。この払拭部３は、図示されているように、哺乳瓶用の人工乳首６の内側に挿入して、その内面の汚れを擦り落とすようになっている。
【０００３】
ここで、払拭部３は、人工乳首６の先端の乳頭部６の内面に適合する細い先端部４と、人工乳首６の膨出した形状とされた基部８の内面に適合する胴元部５とを有している。
これにより、人工乳首用洗浄具１は、独特に複雑な形状をした人工乳首６の内面にその払拭部３を当接させて、きれいに洗浄することができるようになっている。
そして、図１５のような人工乳首用洗浄具１においては、その払拭部３が人工乳首６の複雑な内面形状に適合するような形状とされているため、すみずみまで当接して、洗浄しやすく、また、払拭部３は、スポンジ等の柔軟な素材で形成されているので、柔らかい人工乳首６を傷付けにくいという利点がある。
【０００４】
【発明が解決しようとする課題】
しかしながら、人工乳首６は、使用後に直ぐに洗浄しないと、その内面にミルクの残滓等がかたまってしまうという問題がある。
すなわち、ミルクの残滓には脂肪分等が含まれており、ゴム製の人工乳首６の内面に付着しやすく、使用後に放置すると、白いぶつぶつした固まりとなって、人工乳首用洗浄具１により、普通に洗浄した場合には、洗剤を使用しても、なかなかとれないという問題があった。
【０００５】
本発明は、このような問題を解決するためになされたもので、人工乳首の内面にこびりついた脂肪やたんぱく質を含むミルクの残滓等のしつこい汚れを効果的に洗浄することができる人工乳首用洗浄具を提供することを目的としている。
【０００６】
【課題を解決するための手段】
上記目的は、請求項１の発明にあっては、柄とこの柄の先端側に配設された払拭部とを備える人工乳首用洗浄具であって、前記払拭部は、中空の人工乳首の内面にほぼ沿うような外形を備え、少なくとも表面が比較的柔軟な材料で形成されており、かつ、前記払拭部は、外面の前記柄の延びる方向とほぼ一致する方向に沿う領域に、この領域以外の箇所よりも硬い部分を形成した構成であり、前記払拭部は、人工乳首の先端の乳頭部に対応する大きさの小さな断面径を有する先端小径部と、この先端小計部より大きな径を有する大径部とを備え、前記柄と一体もしくは取り外し可能に形成した硬質の支持体を有し、かつこの支持体が、支持体のほぼ全体を覆う形状の柔軟な材料で形成された中空のカバー部材の一端開口に挿入される構成とされており、このカバー部材の前記一端開口が、柄に向かって徐々に幅広となるように形成されていて、さらに、前記カバー部材は、２枚のウレタン材料を重ねて、周縁を固定して中空に形成されたものであり、該周縁は、熱融着させることにより固定されていて、該熱融着の際に融けて残った部分が前記硬い部分とされている、人工乳首用洗浄具により、達成される。
【０００７】
請求項１の構成によれば、人工乳首の内面に、柔軟な材料で形成された払拭部を当てると、この払拭部は中空の人工乳首の内面にほぼ沿うような外形を備えていることから、拭き残しなく人工乳首の内面を掃除することができる。
また、払拭部の外面には、硬い部分が、前記柄の延びる方向とほぼ一致する方向に沿う領域に形成されている。つまり、例えば、硬い部分が、払拭部の外面の長さ方向に線状に形成されているので、柄の中心軸の周囲に回転させると、人工乳首の内面に払拭部が当接された状態にて、前記硬い部分が、内面を擦ることになる。
これにより、柔軟な材料では落とすことができなかったような、例えば、ミルク等の残滓がこびりついた汚れも、この硬い部分が削りとることができる。
また、柔軟なカバー部材を、小さな断面径を有する先端小径部と、この先端小径部より大きな径を有する大径部とを備えた柄と一体もしくは取り外し可能に形成した硬質の支持体が支持することにより、払拭部が、その表面が柔軟に人工乳首の内面に接触するとともに、これを人工乳首の複雑な内面形状に適合するように保持することができる。
しかも、このカバー部材の前記一端開口が、柄に向かって徐々に幅広となるように形成されていることから、大径部を有する支持部を中空のカバー内に容易に挿入することができる。
さらに、前記カバー部材が、２枚のウレタン材料を重ねて、周縁を固定して中空に形成されており、前記周縁は、熱融着させることにより固定されている。
このため、中空のカバー部材を容易に形成することができるとともに、その２枚のウレタン材料を重ねた箇所の周縁に沿って、熱融着による硬化した箇所を形成することができ、これにより、前記硬い部分を簡単に形成することができる。
【００１２】
請求項２の発明は、請求項１の構成において、前記支持体の表面の少なくとも一部の領域には摩擦部を形成したことを特徴とする。
【００１３】
請求項２の構成によれば、前記支持体の表面の少なくとも一部の領域には摩擦部，すなわち、他の領域よりも摩擦力が高くなるようにした箇所を設けることにより、洗浄作業の際に、支持体の周囲でカバー部材が滑ってしまうことを有効に防止することができる。
【００１４】
請求項３の発明は、請求項１または２のいずれかの構成において、前記支持体の長手方向と直交する方向の断面が楕円形状にされており、この楕円形状の長軸と外形の交差する位置に、前記カバー部材に形成した前記硬い箇所が配置されることを特徴とする。
【００１５】
請求項３の構成によれば、支持体の長手方向と直交する方向の断面が楕円形状とされることで、円形の場合と比べると、カバー部材が長手軸の回りに滑って回転することを防ぐことができる。
また、カバー部材の前記硬い箇所を支持体の前記楕円形状の長軸と外形の交差する位置に設けることで、側面の突出した箇所を用いて、落としにくい前記ミルク等の残滓がこびりついた汚れを容易に落とすことができる。
【００１６】
請求項４の発明は、請求項１ないし３のいずれかの構成において、前記柄の前記払拭部が設けられる端部と反対の端部には、ブラシを配置したことを特徴とする。
【００１７】
請求項４の構成によれば、前記ブラシは、柔軟な材料で形成された前記払拭部とは別の第２の払拭部として機能させることができる。
【００１８】
請求項５の発明は、請求項１ないし４のいずれかの構成において、前記２枚のウレタンは、その素材の表面の粗さが異なるように形成されていることを特徴とする。
【００１９】
請求項５の構成によれば、払拭部の外面が２種類の表面粗さを有することで、これで擦った場合の洗浄効果を変化させることで、より完全な洗浄を行うことができる。
【００２０】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の第１の実施形態による人工乳首用洗浄具を横にした状態で示す平面図、図２は、図１の人工乳首用洗浄具の概略側面図、図３は、図１の人工乳首用洗浄具のＡ−Ａ線概略断面図である。
これらの図において、人工乳首用洗浄具１０は、比較的長尺な柄１１と、この柄１１の一端に配設された払拭部１２とを備えている。
【００２２】
柄１１は、一端に払拭部１２の支持体１４を含む長く延びた長尺体で形成されている。この柄１１は、後述するように、手によって把持され、また、後述するカバー部材を十分支持できる硬質の材料で形成されており、例えば、ポリプロピレンやＡＢＳ（アクリロニトリル・ブタジエン・スチレン）樹脂等で作られている。
この柄１１は、払拭部１２の基端部近傍に設けた把持部２７と、この把持部２７と反対の端部に形成された貫通穴１３を備えている。図１及び図３を参照してわかるように、柄１１は、中央に凹部を備えるやや偏平な形状とされている。そして、図１のＢ−Ｂ線概略端面図である図４を参照してわかるように、柄１１は、平らな上下面１１ａ，１１ｂを有し、上記把持部２７の表面には、突起２７ａもしくは凹凸を形成することで、滑り止めとされている。
【００２３】
また、柄１１の先端側（上記貫通穴１３と反対側）は、一体に形成した支持体１４となっている。すなわち、支持体１４は、硬質の材料で形成されており、支持体１４の先端部は、洗浄対象となる人工乳首の内面の形状に対応させて、その乳頭部に適合するようなやや小さな径を有する先端小径部１６と、この先端小径部１６から連続するくびれ部１６ａと、このくびれ部１６ａから連続する大径部１７とを有している。そして、好ましくは、支持体１４の垂直断面形状は、やや偏平な円形もしくは楕円形とされている。
【００２４】
上記支持体１４には、カバー部材１５が被覆されている。
このカバー部材１５は、例えば、弾性に基づいて変形可能な比較的柔軟な材料で形成されており、繰り返し洗浄作業に使用されても破断しない程度の強度と、好ましくは、所定の加熱温度で溶断されるような材料、例えば、ウレタン材料等により形成されている。
【００２５】
すなわち、このカバー部材１５は、先端側の一端が閉じられ、他端が開放された中空のキャップ状のカバー体である。
このカバー部材１５の内径は、支持体１４の外形よりも僅かに小さく形成され、図１に示す開口３３ａから、支持体１４を挿入されることで、その弾性に基づいて、強制的に外側に拡大されるようになっている。
これにより、カバー部材１５を装着された払拭部１２は、内部の支持体１４の形状に基づいて、先端小径部２１と、この先端小径部２１から連続するくびれ部２１ａと、このくびれ部２１ａから連続する大径部２２とを有するようになっている。
【００２６】
ここで、払拭部１２の先端小径部２１は、例えば、洗浄対象となる人工乳首（後述）の乳頭部の内径とほぼ一致するか、僅かに小さい程度に形成される。また、大径部２２は、人工乳首の膨出した基部の内面の曲面に沿うように形成されると好ましい。
また、上述のように支持体１４の断面形状が楕円等の形状であると、洗浄時にカバー部材１５が支持体１４の周囲で滑って、周方向に回転しにくくすることができる。
【００２７】
図５は、カバー部材１５を装着した払拭部１２を縦にして拡大して示した概略斜視図である。
図において、払拭部１２の外面を形成するカバー部材１５の側面には、長さ方向に沿って、硬い箇所２３が形成されている。
すなわち、この硬い箇所２３は、カバー部材１５の外面の柄１１が延びる方向とほぼ一致する方向に沿う領域に、この領域以外の箇所よりも硬い部分を形成することにより、設けられている。
この硬い部分２３は、洗浄の際に、こびりついた汚れを掻き取るための掻き取り部，すなわちスクレーパ部として機能する。
【００２８】
図６及び図７は、この硬い部分としてのスクレーパ部２３の形成方法の一例を示している。
先ず、カバー部材１５の材料として、例えば、２枚のウレタン材料１８，１９を用意して、これらを重ねる。この場合、ウレタン材料１８，１９は、図面の奥行き方向に長い材料が用いられている。ここで、好ましくは、ウレタン材料１８，１９に関して、それぞれ発泡状態を変える等の手法により、各材料１８，１９の表面の粗さを変えるようにしてもよい。
【００２９】
次いで、図６に示すように、例えば、所定の温度に加熱した刃２５と２６とで、重ねたウレタン材料１８，１９を剪断する。
これにより、図７に示すように、切断された材料１８，１９の切断箇所の断面には、切断の際に材料が溶断されたことで、溶けた部分が僅かに残り、この部分が硬い部分としてのスクレーパ（ｓｃｒａｐｅｒ）部２３として形成される。
すなわち、図５に示すように、カバー部材１５は、その切断部である側面と前面の端部を含む全ての周縁部にて、材料１８，１９の境界に沿って硬い部分であるスクレーパ部２３が形成され、その内側は中空となったキャップ状に形成される。
【００３０】
この場合、カバー部材１５の上述した一端に設けた開口３３ａの外形が、柄１１に向かって徐々に幅広となる広口部３３とされているので、図３で説明した支持体１４をこの開口３３ａから挿入する場合に、その大径部１７を差し入れることがきわめて容易である。
【００３１】
本実施形態は、以上のように構成されており、次に、その使用方法を説明する。
図８は、本実施形態の人工乳首用洗浄具１０の使用の状態を示している。
使用者は、例えば、水道の蛇口の下等の流水が得られる場所（図示せず）で、例えば、洗浄対象となる哺乳瓶用の人工乳首３０を洗浄する。
【００３２】
この時、好ましくは、人工乳首３０の中空内面に、所定の洗剤等を入れて、この人工乳首３０を上記流水の下に配置する。
そして、使用者は、例えば、その左手Ｈ１の指の間に、人工乳首３０の乳頭部３１と基部３２の間の箇所を挟んで保持する。そして、人工乳首３０の底面開口から、本実施形態の洗浄具１０の払拭部１２を差し入れる。
この時、使用者の右手Ｈ２は、その親指Ｆ１を例えば柄１１の把持部２７の上面１１ａに当て、人差し指Ｆ２の側面を下面１１ｂに当てることで、柄１１をしかり保持する。
【００３３】
これにより、左手Ｈ１の上記指に力を入れることで、人工乳首３０の乳頭部３１の内面に、洗浄具１０の払拭部１２の先端小径部２１が当接される。また、人工乳首３０の基部３２の内面には、大径部２２の外面が当接される。この状態で、柄１１を持った手Ｈ２の手首を回転させて、矢印Ｃ方向に、回動させる。すなわち、柄１１をその軸方向の周囲に正逆に回転させると、人工乳首３０の内面に上述のようにおしつけられている払拭部１２が、人工乳首３０の内面のほぼ全面を拭うことができるので、内面をきれいに掃除することができる。
【００３４】
ここで、払拭部１２の外面には、上述したスクレーパ部２３が、その長さ方向に線状に延びているので、人工乳首３０の内面は、柔らかい材料でなる払拭部１２のカバー部材１５の柔軟な箇所に接触されて拭われるだけでなく、この硬いスクレーパ部２３が人工乳首３０の内面に対して擦られる。
【００３５】
これにより、人工乳首３０は、例えば、使用後に直ぐに洗浄されないで、その内面にミルクの残滓等がかたまって付着し、白いぶつぶつした固まりとなっているような場合でも、これを掻きとるように除去することができる。
したがって、人工乳首３０の内面にこれまでのように、頑固な汚れが固着してとれなくなるということがなく、完全かつ清潔に洗浄することが可能となる。したがって、このような汚れが残ったまま、次に使用することで、乳幼児に悪影響を与えることがない。
【００３６】
図９は、上述の実施形態の第１の変形例を示している。
図９（ｂ）は、第１の実施形態の変形例の要部を示し、図９（ａ）は、そのＣ−Ｃ線断面図である。この変形例では、払拭部の支持体４４が、図９（ａ）に示すように、その断面がほぼ楕円形状とされている。
これにより、支持体４４に装着されるカバー部材１５が、支持体４４の周囲で、矢印で示す方向に滑って回転してしまうことを有効に防止することができるようになっている。
さらに、この第１の変形例では、支持体４４の断面が楕円形状となることで、カバー部材１５も図９（ａ）に示すように、その断面が楕円形状となる。これにより、スクレーパ部２３が楕円の長軸と円周とが交差する箇所にほぼ位置することとなる。このため、スクレーパ部２３はより外方に突出して、掻き取り効果を有効に発揮し、汚れを落としやすい。
【００３７】
図１０は、上述の実施形態の第２の変形例を示している。
以下で説明する第２の変形例や第３の変形例は、支持体の表面の摩擦力を増大させるための摩擦部を設けた形態を示している。
図１０（ｂ）は、第１の実施形態の変形例の要部を示し、図１０（ａ）は、そのＤ−Ｄ線断面図である。この変形例では、払拭部１２の支持体４５の表面に、摩擦部としての突起４５ａ，４５ｂが設けられている。すなわち、好ましくは、このような突起は、例えば、基端側の外周に複数形成されている突起４５ａと、中間付近の大径部に設けられている突起４５ｂの２箇所にそれぞれ形成されている。
そして、各突起は、好ましくは、図示するようにかえしを形成する形状とされており、図１０（ｂ）の矢印ｄの方向に、カバー部材１５が位置ずれして、抜けてしまおうとしても、このカバー部材１５の内面に各突起４５ａ，４５ｂが食い込んで、これを阻止することができるようになっている。
【００３８】
また、図１０（ａ）に示すように、支持体４５の周方向に沿って、その表面に形成されている各突起４５ｂの作用によって、支持体４５に装着されるカバー部材１５が、支持体４５の周囲で、矢印ｅで示す方向に滑って回転してしまうことを有効に防止することができるようになっている。
【００３９】
図１１は、上述の実施形態の第３の変形例を示している。
図１１（ｂ）は、第１の実施形態の変形例の要部を示し、図１１（ａ）は、そのＥ−Ｅ線断面図である。この変形例では、払拭部１２の支持体４７の表面には、摩擦部として、例えばシボ加工や梨地処理がされた粗面４７ａが形成されている。これにより、図１１（ｂ）の矢印ｆの方向に、カバー部材１５が位置ずれして、抜けてしまおうとしても、このカバー部材１５の内面と支持体４７との間は、粗面４７ａの作用により、摩擦力が大きくなっているから、これを阻止することができるようになっている。
【００４０】
また、図１１（ａ）に示すように、支持体４７の表面に形成されている粗面４７ａの作用によって、支持体４７に装着されるカバー部材１５が、支持体４７の周囲で、矢印ｇで示す方向に滑って回転してしまうことを有効に防止することができるようになっている。
【００４１】
図１２は、上述の実施形態の第４の変形例を示している。
図１２（ｂ）は、第１の実施形態の変形例の要部を示し、図１２（ａ）は、そのＦ−Ｆ線断面図である。
図において、この払拭部１２の支持体４８は、柄１１と別体に構成されている。すなわち、柄１１は、この場合把持部２７の領域で開口した穴２７ｃを備えている。この穴２７内に、支持体４８の固定部４８ａを挿入することにより、払拭部１２を柄１１に対して着脱できるようになっている。
この場合、柄１１の穴２７ｃの内周面には、僅かな凹みがあり、この凹み内に、支持体４８の固定部４８ａの外周に設けた少突起もしくは凸条でなる係合手段３５を係合させることにより、固定されるようになっている。
【００４２】
したがって、この第４の変形例の場合には、第１の実施形態における作用効果に加えて、払拭部１２の特にカバー部材１５が使用により傷んだり、汚れたりした場合には、適宜この払拭部１２の支持体４８を取り外して、カバー部材１５を交換し、使用を継続することができるので、より清潔かつ長期間使用することができる。
また、支持体４８の突起４８ｂがカバー部材１５を図１２（ｂ）に示すように係止しているので、カバー部材１５が支持体４８の周囲で空転しにくい。
【００４３】
図１３及び図１４は、本発明の人工乳首用洗浄具の第２の実施形態を示している。
この実施形態において、払拭部１２の支持体やカバー部材１５の形状や特徴は第１の実施形態と同じであるから、重複する説明は省略する。
この実施形態では、柄５１の構成が、以下のとおり第１の実施形態と相違している。
【００４４】
柄５１の把持部５７は、各半体である部分５５と部分５６に分割されている。すなわち、把持部５７は、図１４に示すように、長手方向に沿って、ヒンジ５７ａにより開閉されるように形成されており、この把持部５７は、払拭部１２の基端部側の広口部３３付近を受容する穴５５ａ，５６ａを有している。
すなわち、把持部５７は、図１４に示すように、払拭部１２の基端部側を穴５５ａに配置して、図１３に示すように閉じることにより、払拭部１２を固定するようになっている。
ここで、部分５５の内面には、係合突起５５ｂが設けられており、部分５６の内面には、この係合突起５５ｂを受容する係合穴５６ｂが設けられている。したがって、この把持部５７は、図１３のように閉じられたときに、係合突起５５ｂと係合穴５６ｂでなる係合部により係合され、閉じた状態で固定されるようになっている。
さらに、把持部５７の両側面には、凹凸５８が突出して形成され、把持した時の滑り止めとされている。
【００４５】
一方、柄５１の払拭部１２とは反対の端部には、ブラシ５５が形成されている。このブラシ５５は、柄５２と、この柄５２の先端内側に設けたブラシ本体５３を有している。そして、柄５２の端部は、洗浄具側の柄５１の上記端部に対して、支軸５４により回動自在に固定されている。
これにより、図１３に示すように、ブラシ５５の柄５２を矢印の方向に回動させることで、不使用時には、収納され、ブラシ５５の柄５２を図１４の矢印の方向に回動させることで、鎖線にて示されているように、柄５２を開いて、全体として長くなった状態で使用できるようになっている。
【００４６】
したがって、この実施形態では、図３で説明したのと同じように、すなわち、第１の実施形態と同様に人工乳首３０を洗浄することができるだけでなく、これに加えて、ブラシ５５を図１４の鎖線に示す状態として、ブラシ本体５３で所望の汚れを擦り落とすことができる。
しかも、不使用時には、図１３に示すように、ブラシ５５の柄５２を矢印の方向に回動させることで、収納されるので、全体としての長さを短くしてしまうことができる。
また、把持部５５を開くことで、払拭部１２を着脱することができ、払拭部１２の特にカバー部材１５が使用により傷んだり、汚れたりした場合には、適宜この払拭部１２の支持体４８を取り外して、カバー部材１５を交換し、使用を継続することができるので、より清潔かつ長期間使用することができる。
【００４７】
本発明は、上述の実施形態に限定されない。
各実施形態の各構成要素や、各変形例の構成要素は、本発明の効果を発揮する限りにおいて、個々に省略することができ、あるいは、相互に組み合わせることができる。そして、さらに、上述の説明で言及しない構成を付加することができる。
【００４８】
【発明の効果】
以上述べたように、本発明によれば、人工乳首の内面にこびりついた脂肪やたんぱく質を含むミルクの残滓等のしつこい汚れを効果的に洗浄することができる人工乳首用洗浄具を提供することができる。
【図面の簡単な説明】
【図１】本発明の第１の実施形態に係る人工乳首用洗浄具を横にした状態で示す概略平面図である。
【図２】図１の人工乳首用洗浄具の概略側面図である。
【図３】図１の人工乳首用洗浄具のＡ−Ａ線概略断面図である。
【図４】図１の人工乳首用洗浄具のＢ−Ｂ線概略断面図である。
【図５】図１の人工乳首用洗浄具の払拭部を拡大して示す概略斜視図である。
【図６】図１の人工乳首用洗浄具の払拭部を形成する方法を説明する説明図である。
【図７】図１の人工乳首用洗浄具の払拭部を形成する方法を説明する説明図である。
【図８】図１の人工乳首用洗浄具を回転させて人工乳首の内面を洗浄する様子を示す説明図である。
【図９】図１の実施形態の人工乳首用洗浄具の第１の変形例を示す部分拡大図である。
【図１０】図１の実施形態の人工乳首用洗浄具の第２の変形例を示す部分拡大図である。
【図１１】図１の実施形態の人工乳首用洗浄具の第３の変形例を示す部分拡大図である。
【図１２】図１の実施形態の人工乳首用洗浄具の第４の変形例を示す部分拡大図である。
【図１３】本発明の第２の実施形態に係る人工乳首用洗浄具を横にした状態で示す概略側面図である。
【図１４】本発明の第２の実施形態に係る人工乳首用洗浄具を横にした状態で示す概略側面図である。
【図１５】従来の人工乳首用洗浄具の一例を示す図である。
【符号の説明】
１０，５０・・・人工乳首用洗浄具、１１・・・柄、１２・・・払拭部、１４・・・支持体、１５・・・カバー部材、２３・・・硬い部分（スクレーパ部）
【図１】
0004270715.tif 000002
【図２】
0004270715.tif 000003
【図３】
0004270715.tif 000004
【図４】
0004270715.tif 000005
【図５】
0004270715.tif 000006
【図６】
0004270715.tif 000007
【図７】
0004270715.tif 000008
【図８】
0004270715.tif 000009
【図９】
0004270715.tif 000010
【図１０】
0004270715.tif 000011
【図１１】
0004270715.tif 000012
【図１２】
0004270715.tif 000013
【図１３】
0004270715.tif 000014
【図１４】
0004270715.tif 000015
【図１５】
0004270715.tif 000016